(57)【要約】【課題】ディスクの下面のディスクの重心からずれた位置を支点として、ディスクを重力によって自動的に１８０度に引っ繰り返し可能であるディスク引っ繰り返し装置を提供する。【解決手段】本発明は、対向し且つ対称している案内溝１０を二つ有し、前記各案内溝１０には、入り口段１１と、引っ繰り返し段１２と、出口段１３とが、上から下に順次に排列しているディスク引っ繰り返し装置１において、前記引っ繰り返し段１２は、互いに対応する、凸具１２１と、凹具１２２とを含み、前記凸具１２１は前記入り口段１１に応じて第一支持部Ａを有し、前記第一支持部Ａが前記入り口段１１の中央の一側に位置し、且つ前記凸具１２１に第二支持部Ｂが設けられ、前記凹具１２２に円弧形止め縁Ｃが設けられ、前記第二支持部Ｂが前記円弧形止め縁Ｃに対応することを特徴とする。【選択図】図１
2008222437.tif 000002
【特許請求の範囲】
【請求項１】
対向し且つ対称している案内溝を二つ有し、前記各案内溝には、入り口段と、引っ繰り返し段と、出口段とが、上から下に順次に排列しているディスク引っ繰り返し装置において、前記引っ繰り返し段は、互いに対応する、凸具と、凹具とを含み、前記凸具は前記入り口段に応じて第一支持部を有し、前記第一支持部が前記入り口段の中央の一側に位置し、且つ前記凸具に第二支持部が設けられ、前記凹具に円弧形止め縁が設けられ、前記第二支持部が前記円弧形止め縁に対応することを特徴とする、ディスク引っ繰り返し装置。
【請求項２】
前記各案内溝の入り口段にはディスクを入れるための欠け口が設けてあり、前記各案内溝の引っ繰り返し段の凸具が前記各案内溝の一側から前記各案内溝の内側へ突出し、前記各案内溝の引っ繰り返し段の第一支持部は、前記入り口段の欠け口の一側の中央に位置し、前記凸具に対向し、且つ前記引っ繰り返し段の凸具の形状が凹具に対応し、前記各案内溝の引っ繰り返し段の凸具の第二支持部が前記凸具の突出部分の頂端に位置することを特徴とする、請求項１に記載のディスク引っ繰り返し装置。
【請求項３】
受け具を有し、前記受け具には、支持部と、止め部とが上から下に順次に設けてあり、前記支持部は、前記受け具の上部に位置し、且つ前記受け具の一側から突出することを特徴とする、ディスク引っ繰り返し装置。
【請求項４】
前記受け具に応じて規制具が設けてあり、前記受け具の支持部が前記規制具へ突出しており、且つ前記受け具の下方に貫通孔が開設してあることを特徴とする、請求項３に記載のディスク引っ繰り返し装置。
【請求項５】
ディスクの下面のディスクの重心からずれた位置を支点とする第一のステップと、前記ディスクが重力によって前記支点を中心として引っ繰り返し始める第二のステップと、前記ディスクが重力によって１８０度に引っ繰り返す第三のステップとを含むことを特徴とする、ディスク引っ繰り返し方法。
【発明の詳細な説明】
【技術分野】
【０００１】
本発明は、ディスク引っ繰り返し装置とその方法に係り、特に、重力によってディスクが自動的に引っ繰り返し可能のディスク引っ繰り返し装置と、その方法に関するものである。
【背景技術】
【０００２】
目下、ディスクを焼き、又は印刷した後に、ユーザは手でディスクを引っ繰り返すことが必要であり、そうしないと、前記ディスクは次の工程で処理できなくなり、しかし、自動化生産プロセスを達成するために、上記の問題は解決しなければいけない課題であり、且つ市販しているディスク引っ繰り返し機器は、全て電的エネ、空気圧や油圧などの方法を使用するので、機器の体積が大きくて、エネルギーが大量に消耗される問題があった。
【発明の開示】
【発明が解決しようとする課題】
【０００３】
本発明の主な目的は、支持部を支点としてディスクを重力によって自動的に１８０度に引っ繰り返し可能のディスク引っ繰り返し装置を提供することにある。
【０００４】
本発明の次の目的は、ディスクの下面のディスクの重心からずれた位置を支点として、ディスクを重力によって自動的に１８０度に引っ繰り返し可能のディスク引っ繰り返し方法を提供することにある。
【課題を解決するための手段】
【０００５】
上記目的を達成するためになされた本願の発明は、対向し且つ対称している案内溝を二つ有し、前記各案内溝には、入り口段と、引っ繰り返し段と、出口段とが、上から下に順次に排列しているディスク引っ繰り返し装置において、前記引っ繰り返し段は、互いに対応する、凸具と、凹具とを含み、前記凸具は前記入り口段に応じて第一支持部を有し、前記第一支持部が前記入り口段の中央の一側に位置し、且つ前記凸具に第二支持部が設けられ、前記凹具に円弧形止め縁が設けられ、前記第二支持部が前記円弧形止め縁に対応することを特徴とする、ディスク引っ繰り返し装置であることを要旨としている。
【０００６】
本願の発明では、前記各案内溝の入り口段にはディスクを入れるための欠け口が設けてあり、前記各案内溝の引っ繰り返し段の凸具が前記各案内溝の一側から前記各案内溝の内側へ突出し、前記各案内溝の引っ繰り返し段の第一支持部は、前記入り口段の欠け口の一側の中央に位置し、前記凸具に対向し、且つ前記引っ繰り返し段の凸具の形状が凹具に対応し、前記各案内溝の引っ繰り返し段の凸具の第二支持部が前記凸具の突出部分の頂端に位置することを特徴とする、請求項１に記載のディスク引っ繰り返し装置であることを要旨としている。
【０００７】
本願の発明では、受け具を有し、前記受け具には、支持部と、止め部とが上から下に順次に設けてあり、前記支持部は、前記受け具の上部に位置し、且つ前記受け具の一側から突出することを特徴とする、ディスク引っ繰り返し装置であることを要旨としている。
【０００８】
本願の発明では、前記受け具に応じて規制具が設けてあり、前記受け具の支持部が前記規制具へ突出しており、且つ前記受け具の下方に貫通孔が開設してあることを特徴とする請求項３に記載のディスク引っ繰り返し装置であることを要旨としている。
【０００９】
本願の発明では、ディスクの下面のディスクの重心からずれた位置を支点とする第一のステップと、前記ディスクが重力によって前記支点を中心として引っ繰り返し始める第二のステップと、前記ディスクが重力によって１８０度に引っ繰り返す第三のステップとを含むことを特徴とする、ディスク引っ繰り返し方法であることを要旨としている。
【発明の効果】
【００１０】
本発明のディスク引っ繰り返し装置とその方法によれば、ディスクの下面のディスクの重心からずれた位置を支点として、ディスクを重力によって自動的に１８０度に引っ繰り返し可能である効果を有する。
【発明を実施するための最良の形態】
【００１１】
以下、添付図面を参照して本発明の好適な実施の形態を詳細に説明する。
【００１２】
まず、図１を参照する。本発明のディスク引っ繰り返し装置１は、対向し且つ対称している案内溝１０を二つ有し、前記各案内溝１０には、入り口段１１と、引っ繰り返し段１２と、出口段１３とが、上から下に順次に排列しており、前記入り口段１１にはディスクを入れるための欠け口１１１が設けてあり、前記引っ繰り返し段１２は、互いに対応する、凸具１２１と、凹具１２２とを含み、前記凸具１２１が前記各案内溝１１の一側から前記各案内溝１１の内側へ突出し、前記凸具１２１の形状が凹具１２２に対応し、前記凸具１２１に第一支持部Ａが設けてあり、前記第一支持部Ａは、前記入り口段１１の欠け口１１１の一側の中央に位置し、前記凸具１２１に対向し、且つ前記凸具１２１に第二支持部Ｂも設けてあり、前記第二支持部Ｂが前記凸具１２１の突出部分の頂端に位置し、前記凹具１２２には、前記凸具１２１の第二支持部Ｂに対応する円弧形止め縁Ｃが設けてある。
【００１３】
また、図２Ａ乃至図６Ｂを参照する。図２Ａ及び図２Ｂに示すように、二つの案内溝１０の入り口段１１の欠け口１１１にディスクＰを入れて、引っ繰り返し段１２の第一支持部Ａの上でディスクＰを放置し、前記第一支持部Ａは、前記入り口段１１の欠け口１１１の中央の一側に位置し、前記凸具１２１の突出部分から遠ざかった方向に位置し、且つ円形のディスクの重心が円心にあるので、前記第一支持部ＡがディスクＰの重心からずれ、これにより、図３Ａ及び図３Ｂに示すように、重力によりディスクＰが前記第一支持部Ａを支点として凸具１２１の突出方向に引っ繰り返されるようになり、ディスクＰが円弧形止め縁Ｃに押し付けたと、図４Ａ及び図４Ｂに示すように、ディスクＰが凸具１２１の第二支持部Ｂを支点として凹具１２２の円弧形止め縁Ｃに沿って引っ繰り返されて、図５Ａ及び図５Ｂに示すように、重力および遠心力によりディスクＰが第二支持部Ｂから離脱して円弧形止め縁Ｃに沿って下へ摺動し、最後に、図６Ａ及び図６Ｂに示すように、ディスクＰが出口段１３から滑り出し、このとき、ディスクＰが１８０度に引っ繰り返したようになる。
【００１４】
また、本発明の実施例２のディスク引っ繰り返し装置２は、図７及び図８に示すように、受け具２０を有し、前記受け具２０に応じて規制具２４が設けてあり、前記受け具２０には、支持部２１と、止め部２２と、貫通孔２３とが上から下に順次に設けてあり、前記支持部２１は、前記受け具２０の上部に位置し、且つ前記受け具２０の一側から前記規制具２４へ突出する。
【００１５】
次に、図９Ａ乃至図１５Ｂを参照しながら、前記ディスク引っ繰り返し装置２にてディスクを引っ繰り返す過程を詳細に説明する。まず、図９Ａ及び図９Ｂに示すように、規制具２４に合わせてディスクＰを受け具２０の上で放置して、ディスクＰの重心が受け具２０と規制具２４の間に位置するので、図１０Ａ及び図１３Ｂに示すように、重力によりディスクＰが受け具２０の支持部２１を支点として引っ繰り返すようになり、図１４Ａ及び図１４Ｂに示すように、引っ繰り返しているディスクＰが貫通孔２３を通過して受け具２０の止め部２２にストップされたと、図１５Ａ及び図１５Ｂに示すように、ディスクＰが支持部２１から離脱して下に落下し、このとき、ディスクＰが１８０度に引っ繰り返したようになる。
【００１６】
上記のディスク引っ繰り返し装置１，２は全て梃子原理を利用するものである。
【００１７】
次に、本発明のディスク引っ繰り返し方法を説明する。本発明のディスク引っ繰り返し方法は、ディスクの下面のディスクの重心からずれた位置を支点とする第一のステップと、前記ディスクが重力によって前記支点を中心として引っ繰り返し始める第二のステップと、前記ディスクが重力によって１８０度に引っ繰り返す第三のステップとを含む。
【図面の簡単な説明】
【００１８】
【図１】本発明の二つの案内溝を有する実施例の斜視図
【図２Ａ】図１に示したものにディスクを入れた状態の斜視図
【図２Ｂ】図２Ａの側面図
【図３Ａ】図２Ａにおけるディスクが第一支持体を支点として引っ繰り返している状態の斜視図
【図３Ｂ】図３Ａの側面図
【図４Ａ】図３Ａにおけるディスクが第一支持体から離脱して第二支持体を支点として引っ繰り返している状態の斜視図
【図４Ｂ】図４Ａの側面図
【図５Ａ】図４Ａにおけるディスクが第二支持体から離脱して円弧形止め縁に沿って摺動している状態の斜視図
【図５Ｂ】図５Ａの側面図
【図６Ａ】図５Ａにおけるディスクが円弧形止め縁から落下した状態の斜視図
【図６Ｂ】図６Ａの側面図
【図７】本発明の規制具と受け具とを有する実施例の斜視図
【図８】本発明の規制具と受け具とを有する実施例の側面図
【図９Ａ】図７における受け具の上面にディスクを放置した状態の斜視図
【図９Ｂ】図９Ａの側面図
【図１０Ａ】図９Ａにおけるディスクが支持部を支点として引っ繰り返している状態の斜視図
【図１０Ｂ】図１０Ａの側面図
【図１１Ａ】図１０Ａにおけるディスクが支持部を支点として更に引っ繰り返している状態の斜視図
【図１１Ｂ】図１１Ａの側面図
【図１２Ａ】図１１Ａにおけるディスクが支持部を支点として更に引っ繰り返している状態の斜視図
【図１２Ｂ】図１２Ａの側面図
【図１３Ａ】図１２Ａにおけるディスクが支持部を支点として更に引っ繰り返している状態の斜視図
【図１３Ｂ】図１３Ａの側面図
【図１４Ａ】図１３Ａにおけるディスクが止め部に止められた状態の斜視図
【図１４Ｂ】図１４Ａの側面図
【図１５Ａ】図１４Ａにおけるディスクが止め部に止められて落下した状態の斜視図
【図１５Ｂ】図１５Ａの側面図
【符号の説明】
【００１９】
１        ディスク引っ繰り返し装置
２        ディスク引っ繰り返し装置
１０      案内溝
１１      入り口段
１１１    欠け口
１２      引っ繰り返し段
１３      出口段
２０      受け具
２１      支持部
２２      止め部
２３      貫通孔
２４      規制具
１２１    凸具
１２２    凹具
Ａ        第一支持部
Ｂ        第二支持部
Ｃ        円弧形止め縁
Ｐ        ディスク
【図１】
2008222437.tif 000003
【図２Ａ】
2008222437.tif 000004
【図２Ｂ】
2008222437.tif 000005
【図３Ａ】
2008222437.tif 000006
【図３Ｂ】
2008222437.tif 000007
【図４Ａ】
2008222437.tif 000008
【図４Ｂ】
2008222437.tif 000009
【図５Ａ】
2008222437.tif 000010
【図５Ｂ】
2008222437.tif 000011
【図６Ａ】
2008222437.tif 000012
【図６Ｂ】
2008222437.tif 000013
【図７】
2008222437.tif 000014
【図８】
2008222437.tif 000015
【図９Ａ】
2008222437.tif 000016
【図９Ｂ】
2008222437.tif 000017
【図１０Ａ】
2008222437.tif 000018
【図１０Ｂ】
2008222437.tif 000019
【図１１Ａ】
2008222437.tif 000020
【図１１Ｂ】
2008222437.tif 000021
【図１２Ａ】
2008222437.tif 000022
【図１２Ｂ】
2008222437.tif 000023
【図１３Ａ】
2008222437.tif 000024
【図１３Ｂ】
2008222437.tif 000025
【図１４Ａ】
2008222437.tif 000026
【図１４Ｂ】
2008222437.tif 000027
【図１５Ａ】
2008222437.tif 000028
【図１５Ｂ】
2008222437.tif 000029